(57)【特許請求の範囲】
【請求項１】
原料ガスと水を反応させて生成された遊離水を含むガスハイドレート粉体が供給される供給口と、該供給口の下方に隙間を空けて対向配置され水平軸周りに回転可能に支持された一対の回転ロールと、該一対の回転ロールのロール面に対向させて形成された半球状の複数の凹所と、前記一対の回転ロールを前記供給口から供給される前記ガスハイドレート粉体が圧縮される方向に回転駆動する駆動機とを有してなるペレタイザと、該ペレタイザにより圧縮成型された球形又は楕円形のガスハイドレートペレットと絞り水とを分離する分離装置とを備えてなり、
前記分離装置は、前記ペレタイザから前記ガスハイドレートペレットが落下される位置に傾斜させて配置され、前記ガスハイドレートペレットを通過させないスリット状の長孔が前記傾斜方向に延在させて多数形成されてなる水分離板と、該水分離板の傾斜面の下端側に連接して傾斜させて配置された前記ガスハイドレートペレットを移送するシュートと、前記水分離板の下面側に形成された絞り水回収部とを有してなることを特徴とするガスハイドレートペレット製造装置。
【請求項２】
請求項１に記載のガスハイドレートペレット製造装置において、
前記分離装置は、前記水分離板と前記シュートと前記絞り水回収部とを、複数段有してなることを特徴とするガスハイドレートペレット製造装置。
【請求項３】
請求項１又は２に記載のガスハイドレートペレット製造装置において、
前記ペレタイザは、前記一対の回転ロールから前記ガスハイドレートペレットが剥離される位置の側面にガスの噴出孔が設けられてなることを特徴とするガスハイドレートペレット製造装置。
【発明の詳細な説明】
【技術分野】
【０００１】
本発明は、ガスハイドレートペレット製造装置に係り、特に、原料ガスと水を反応させて生成された遊離水を含むガスハイドレート粉体の含水率を効果的に低減させて、ハイドレート濃度の高い製品ガスハイドレートペレットを得る技術に関する。
【背景技術】
【０００２】
ガスハイドレートは、水分子の作る籠の中にガスを取り込んだ構造の固形の水和物であり、−２０数℃〜−１０数℃の大気圧下で安定することから、液化天然ガス（ＬＮＧ）に代わる天然ガスの輸送及び貯蔵の手段として利用する研究が進められている。
【０００３】
一般に、ガスハイドレートは、例えば、天然ガス、メタンガス、炭酸ガスなどの原料ガスと水とを低温高圧の生成容器内で反応させて生成される。生成容器から取り出されるガスハイドレートスラリーには、多量の未反応の遊離水が含まれることから、水を分離して製品ガスハイドレートを精製する必要がある。
【０００４】
特許文献１に記載されたガスハイドレートの製造法によれば、生成容器内に原料ガスを供給し、その原料ガス中に低温の循環水をスプレーしてハイドレートを生成し、生成容器内の液面近傍に浮遊するハイドレートを水と共に抜き出して、２重構造のスクリュープレス型脱水装置に導いて物理的に脱水するようにしている。また、脱水率をさらに上げるため、２軸スクリュー型の水和脱水装置に導いて、粉体のガスハイドレートに付着した遊離水と原料ガスと反応させて、含水率の低い、あるいはハイドレート濃度の高い製品ガスハイドレートを得るようにしている。
【０００５】
一方、特許文献２には、粉体のガスハイドレートを製品として要求されるハイドレート濃度にまで高めたガスハイドレート粉体を、造粒機によってペレット化することにより、製品ガスハイドレートの取り扱い性を改善することが記載されている。
【０００６】
【特許文献１】特開２００３−５５６７５号公報
【特許文献２】特開２００６−５２２６１号公報
【発明の開示】
【発明が解決しようとする課題】
【０００７】
しかしながら、特許文献１に記載された物理的脱水装置では、ガスハイドレート濃度にして精々５０重量％〜７０重量％程度、言い換えれば含水率３０〜５０重量％までしか脱水することができない。また、水和脱水装置によっても、製品ガスハイドレートとして望まれるハイドレート濃度（例えば、９０重量％以上）までに高めることについては考慮されていない。
【０００８】
一方、特許文献２に記載のペレット化技術は、例えば、製品濃度レベルに濃縮されたガスハイドレート粉体を所定の形状に造粒する技術にとどまり、造粒装置によってガスハイドレートペレットのハイドレート濃度を高めることについては考慮されていない。
【０００９】
本発明は、製品ガスハイドレートペレットのハイドレート濃度を効果的に高めることができるガスハイドレートペレット製造装置を実現することを課題とする。
【課題を解決するための手段】
【００１０】
本発明は、ガスハイドレート粉体をペレット化するにあたって圧縮成型すると、ガスハイドレート粉体に付着していた遊離水が搾り出され、製品ペレットに要求されるハイドレート濃度に高めることができるという知見を得てなされたものである。ところが、圧縮成型された直後のペレットは含水率が極めて低いが、圧縮により絞り出された水（以下、絞り水という。）がペレットに接触すると吸水され、ガスハイドレートペレットの含水率が増大してしまうから、生成されたペレットと絞り水を速やかに分離する必要がある。
【００１１】
すなわち、本発明のガスハイドレートペレットの製造装置は、原料ガスと水を反応させて生成された遊離水を含むガスハイドレート粉体が供給される供給口と、該供給口の下方に隙間を明けて対向配置され水平軸周りに回転可能に支持された一対の回転ロールと、該一対の回転ロールのロール面に対向させて形成された複数の凹所と、前記一対の回転ロールを前記供給口から供給される前記ガスハイドレート粉体を圧縮する方向に回転駆動する駆動機とを有してなるペレタイザと、該ペレタイザにより圧縮成型されたガスハイドレートペレットと絞り水とを分離する分離装置とを備えて構成することを特徴とする。
【００１２】
つまり、ガスハイドレート粉体をロール式ペレタイザのロール面の凹所によって圧縮成型してペレットを製造することにより、ガスハイドレート粉体に含まれる遊離水（例えば、２０〜３０ｗｔ％）が絞り出されて、高いハイドレート濃度のペレットが得られる。従来は、ペレタイザ等の造粒装置の前段に、水和反応装置などの高脱水装置を設ける必要があったが、本発明のロール式ペレタイザによれば、かなり含水率の高いガスハイドレート粉体を供給しても、遊離水を絞り取れるから、高いハイドレート濃度のペレットが得られる。
【００１３】
しかも、本発明によれば、圧縮成型された含水率が極めて低いペレットと、一対の回転ロール間から排出される絞り水とを分離装置により分離しているから、高いハイドレート濃度の製品ガスハイドレートペレットを得ることができる。
【００１４】
例えば、分離装置は、ガスハイドレートペレットを通過させない大きさの孔を多数有し、ペレタイザからガスハイドレートペレットが落下される位置に傾斜させて配置された水分離板と、水分離板の傾斜面の下端側に連接して傾斜させて配置されたガスハイドレートペレットを移送するシュートと、水分離板の下面側に形成された絞り水回収部とを有して構成することができる。これによれば、ペレタイザから自重により落下されるガスハイドレートペレットは、水分離板の傾斜面を滑り落ちて速やかにシュート側に移送される。また、絞り水は、自重により水分離板の孔を通って速やかに絞り水回収部に落下するから、ガスハイドレートペレットと絞り水を速やかに分離でき、ガスハイドレートペレットのハイドレート濃度を効果的に高めることができる。
【００１５】
ところで、ロール式ペレタイザによる圧縮成型によれば、凹所の形状に応じた寸法（例えば、１〜１００ｍｍ径の球形又は楕円形）のペレットを製造することができる。しかし、一対の回転ロールの機械的な制約から、凹所周辺のロール面にはみだして圧縮成型されるバリ（例えば、１０重量％）の発生を避けることができない。このようなバリが付着した製品ペレットは、容器に充填する際の充填率を低下させるので好ましくない。
【００１６】
そこで、本発明の水分離板としては、例えば、すのこのようにガスハイドレートペレットを通過させないスリット状の長孔を傾斜方向に延在させて多数形成したもの、あるいは、グレーティング、枠体に細い棒を間隔を空けて配列したものが好ましい。これによれば、ペレットに形成されるバリが落下時の衝撃で破壊され、スリット状の長孔から絞り水とともに自重により落下して、ガスハイドレートペレットから分離できる。このようにして分離されたバリを含む絞り水は、必要に応じて粉砕機にかけた後、ガスハイドレート生成器又は生成器下流に設けられる一次脱水装置などに戻すことができる。
【００１７】
また、一対の回転ロール間からガスハイドレートペレットが剥離される位置の側面にガス噴出孔を設けることが好ましい。これによれば、一対の回転ロール間から排出される絞り水が、噴出ガスによって速やかにペレットから分離されてペレットとは異なる経路で落下するので、絞り水とペレットとが接触する確率を低くできる。
【００１８】
また、分離装置内に、低温の原料ガスを供給することにより、ペレットに付着している残存水を水和反応によってハイドレート化できるから、製品のガスハイドレートペレットのハイドレート濃度を一層高くすることができる。
【００１９】
また、本発明の分離装置は、上述した水分離板に限られるものではなく、後述する実施例のように種々の態様を採用できる。つまり、例えば、落下されるガスハイドレートペレットと絞り水を振動篩にかけて、速やかに分離するようにすることができる。また、ガスハイドレートペレットを通過させない大きさの孔を多数有して形成された回転ドラムに、落下されるガスハイドレートペレットと絞り水を導いて、速やかに分離するようにすることができる。また、ガスハイドレートペレットを通過させない大きさの孔を多数有するベルトを巻回してなるベルトコンベアにより、落下されるガスハイドレートペレットと絞り水をベルトコンベア上で速やかに分離するようにすることができる。さらに、ガスハイドレートペレットの排出口に位置させて吸水性を有するベルトを巻回してなるベルトコンベアを設け、ベルトコンベアの下面側のベルトを挟んで絞りローラを配置することにより、落下される絞り水は吸水性を有するベルトに速やかに吸水されるから、ベルト上を移動するガスハイドレートペレットに吸着する確率が低減される。
【００２０】
特に、振動篩や回転ドラムによる分離装置によれば、ペレットのバリを積極的に破砕できる。また、コンベアなどの場合も、振動を加えることにより、ペレットのバリを積極的に破砕できる。
【発明の効果】
【００２１】
本発明によれば、製品ガスハイドレートペレットのハイドレート濃度を効果的に高めることができる。また、圧縮成型時に生成されるバリを除去することができる。
【発明を実施するための最良の形態】
【００２２】
以下、本発明のガスハイドレートペレット製造装置を、実施例に基づいて説明する。
【実施例１】
【００２３】
図１に本発明の一実施例のガスハイドレートペレット製造装置を適用してなるガスハイドレート製造プラントの全体構成図を示し、図２〜図４に本実施例の詳細構成図及び説明図を示す。なお、本実施例のガスハイドレート製造プラントは、天然ガスに限らず、メタンガスなどの他の原料ガスのハイドレート製造に適用できる。
【００２４】
図示のように、ガスハイドレートスラリーを生成する生成器１を含むハイドレートスラリー製造装置と、生成器１で生成されたガスハイドレートスラリーから水分を分離してガスハイドレート粉体を生成する脱水塔２と、脱水塔２で脱水されたガスハイドレート粉体を圧縮成型してペレット化するペレタイザ４と、ペレタイザ４から排出されるハイドレートペレットと絞り水を分離する分離装置５と、分離装置から排出されるハイドレートペレットを脱圧する脱圧装置６と、脱圧されたハイドレートペレットを製品として貯蔵する貯蔵容器７を備えて構成されている。
【００２５】
これらの生成器１、脱水塔２、ペレタイザ４及び分離装置５は、いずれも所定の高圧（例えば、３〜１０ＭＰａ）及び低温（例えば、１〜５℃）に保持され、脱圧装置６において常圧及び低温（例えば、−２０数℃〜−１０数℃）の貯蔵ないし輸送に適した条件に変換される。また、必要に応じて分離装置５と脱圧装置６の間にハイドレートペレットを冷却する冷却装置を設けることができる。
【００２６】
このように構成されるガスハイドレート製造プラントの動作について簡単に説明する。生成器１には、図示していない供給装置から高圧の原料ガスと、水槽１１から高圧ポンプ１２と冷却器１３を介して低温の高圧水が一定量供給される。生成器１内に導入された原料ガスと水は水和反応してガスハイドレートが生成される。ガスハイドレートの生成反応を促進するため、撹拌機１４により生成器１内を撹拌するとともに、循環ガスブロワー１５によって生成器１の上部の原料ガスを抜き出し、生成器１の底部から水中に散気される。また、ガスハイドレート生成は発熱を伴うことから、生成器１内の温度を設定温度に保持するために、生成器１の底部からガスハイドレートスラリーをスラリーポンプ１６により抜き出し、冷却器１７により冷却して生成器１の上部に循環される。スラリーポンプ１６により抜き出されたガスハイドレートスラリーの一部が脱水塔２の底部に供給される。
【００２７】
脱水塔２は、円筒状の縦型容器の途中に大径の水抜き部２１が設けられ、この水抜き部２１の塔内壁は、例えば金網や多孔板等により形成され、ガスハイドレートスラリーの水分が分離される。水抜き部２１の水は、脱水循環ポンプ２２により生成器１に戻される。一方、比重差によって脱水塔２の頂部に上昇したガスハイドレート粉体は、スクリューコンベア２３によりペレタイザ４に送られる。
【００２８】
ペレタイザ４は、ガスハイドレート粉体を所定の形状のガスハイドレートペレットに圧縮成型すると同時に、付着水は絞り出されて分離装置５に供給される。分離装置５は、ガスハイドレートペレットと絞り水を分離して、ガスハイドレートペレットを脱圧装置６に送る。脱圧装置６によって脱圧されたガスハイドレートペレットは、貯蔵容器７に貯蔵される。
【００２９】
次に、図２〜図４を参照して、本発明の特徴部であるペレタイザ４と分離装置５から構成されるガスハイドレートペレット製造装置の実施例１を説明する。図２は、ペレタイザ４と分離装置５の断面図である。ペレタイザ４のケーシング４１内には、一対の回転ロール４２が水平軸周りに回転可能に支持されている。一対の回転ロール４２のロール面には複数の凹所４３が対向させて形成され、それらのロール面は微小な隙間を明けて対向配置されている。本実施例の凹所４３は、半球状の窪みであり、ロール面の周方向に一定間隔で配列されている。一対の回転ロール４２は、供給口４５から供給されるガスハイドレート粉体を圧縮する方向（図示矢印４６）に駆動機４４によって回転駆動される。一対の回転ロール４２のロール間の下方のケーシング４１の底壁にガスハイドレートペレットの排出口４７が設けられている。
【００３０】
本実施例１の分離装置５は、ペレタイザ４の排出口４７に連結されたケーシング５１を有して形成されている。ケーシング５１内には、ペレタイザ４の排出口４７から排出されるガスハイドレートペレット４８の落下位置に傾斜させて水分離板５２が配置されている。水分離板５２は、図３に示すように、細い棒状の部材５３、５４を格子状に組み合わせて、グレーティングないし金網状に形成され、ガスハイドレートペレット（例えば、１〜１００ｍｍ径）を通過させないスリット状の長孔５５が傾斜方向に延在させて多数形成されている。また、ケーシング５１には、水分離板５２の傾斜面の下端側に連接して傾斜面を有するシュート５６が設けられている。また、水分離板５２の下面側には、絞り水回収部５７が設けられ、絞り水回収部５７の水はポンプ５８によって生成器１に戻されるようになっている。
【００３１】
このように構成されるペレタイザ４と分離装置５の動作を説明する。供給口４５から投入されたガスハイドレート粉体は一対の回転ロール４２間に導かれ、対向する一対の凹所４３によって圧縮成型されて、一対の回転ロール４２間の下方からガスハイドレートペレット４８となって排出される。この圧縮成型の過程で、ガスハイドレート粉体に付着していた水が絞り出され、ガスハイドレートペレット４８のハイドレート濃度が高められる。成型されたガスハイドレートペレット４８は、一対の回転ロール４２間から剥離して水分離板５２上に落下し、水分離板５２の部材５３上を滑って速やかにシュート５６上に移動される。シュート５６上に移動したガスハイドレートペレット４８は、図１の脱圧装置６に送られる。一方、絞り水も一対の回転ロール４２間から水分離板５２上に落下するが、水分離板５２の長孔５５を流下して絞り水回収部５７に分離される。
【００３２】
したがって、本実施例のロール式のペレタイザ４によれば、ガスハイドレート粉体に含まれる遊離水（例えば、２０〜３０ｗｔ％）が搾り出されて、高いハイドレート濃度のペレットが得られる。そのため、図１の脱水塔２の脱水率如何によっては、高いハイドレート濃度のペレットが得られる。
【００３３】
特に、本実施例によれば、ペレタイザ４の下方に分離装置５を設け、これにより一対の回転ロール４２間から排出されるガスハイドレートペレットと絞り水とを分離しているから、ガスハイドレートペレットに再び水が付着する確率が低減され、高いハイドレート濃度のペレットを得ることができる。
【００３４】
ところで、本実施例のペレタイザ４によれば、一対の回転ロール４２の機械的な制約から、ロール面間に微小な隙間を空ける必要がある。そのため、図４に示すように、ガスハイドレートペレット４８の周囲に、凹所４３の周辺のロール面に張り出して圧縮成型された薄いバリ４９が生成される。このようなバリ４９を有するペレットは、貯蔵容器７に充填する際の充填率を低下させるので好ましくない。
【００３５】
この点、本実施例の水分離板５２は、図３に示したように、スリット状の長孔５５を有して形成されているから、ガスハイドレートペレット４８が水分離板５２上に落下した衝撃で薄いバリ４９が破壊され、長孔５５から絞り水回収部５７に落下してガスハイドレートペレット４８から分離される。したがって、貯蔵容器７に充填する際の充填率を低下させるおそれを低減できる。なお、絞り水回収部５７に落下したバリ４９は、回収水とともに生成器１へ戻される。このとき、バリ４９の大きさによっては、粉砕機を設けることが好ましい。
【実施例２】
【００３６】
図５に、本発明に係るペレタイザ４の他の実施例を示す。本実施例が実施例１と相違する点は、一対の回転ロール４２からガスハイドレートペレットが剥離される位置のケーシング４１の側面に、原料ガスのガス噴出孔６０を設けたことにある。その他の構成は、実施例１と同一であることから、同一の符号を付して説明を省略する。
【００３７】
本実施例によれば、ガス噴出孔６０から吹き出されるガス流によって、一対の回転ロール４２間から落下される絞り水の落下経路がケーシング４１の反対側の側面に偏移される。一方、ガスハイドレートペレット４８は絞り水よりも重いから、ガス噴出孔６０から吹き出されるガス流の影響が小さいため、比較的真っ直ぐに落下されるから、絞り水との接触を回避することができる。その結果、圧縮成型によって高められたガスハイドレートペレット４８のハイドレート濃度を維持してシュート５６から排出できる。
【実施例３】
【００３８】
図６に、本発明に係る分離装置の他の実施例を示す。本実施例が実施例１と相違する点は、実施例１の分離装置５と同様に構成された２つの分離装置５ａ、５ｂを直列にして２段設けたこと、及び２段目の分離装置５ｂの下流側に低温の原料ガスの供給ノズル６１を設けたことにある。その他の構成は、実施例１と同一であることから、同一の符号を付して説明を省略する。
【００３９】
本実施例によれば、１段目の分離装置によって分離できなかった絞り水を分離できるとともに、供給ノズル６１から供給される低温の原料ガスによって、ガスハイドレートペレット４８の表面に再付着した水をハイドレート化することができる。
【実施例４】
【００４０】
図７に、本発明に係る分離装置の他の実施例を示す。本実施例が実施例１と相違する点は、振動篩により分離装置を構成したことにある。
【００４１】
すなわち、本実施例の分離装置７０は、ペレタイザ４のガスハイドレートペレットの排出口４７にベローズ７１を介して傾斜させて連結された篩ケース７２と、篩ケース７２に収納されガスハイドレートペレットを通過させない大きさの孔を多数有する篩７３と、篩７３を振動させる図示していない加振手段と、篩ケース７１の傾斜の上端側に設けられたガスハイドレートペレットの排出口７４と、篩ケース７２の傾斜の下端側に設けられた絞り水回収部７５とを有し、篩ケース７２を振動自由に支持する弾性支持部材７６を備えてなることを特徴とする。
【００４２】
本実施例によれば、一対の回転ロール４２間から落下されるガスハイドレートペレットと絞り水は、振動している篩７３の上に落下され、絞り水は速やかに絞り水回収部７５に回収される。一方、ガスハイドレートペレット４８は振動している篩７３の上を図示矢印７７方向に搬送され、排出口７４から脱水装置６に排出される。また、ガスハイドレートペレット４８のバリ４９は、篩７３の振動によって破壊されて篩下に落下される。なお、絞り水回収部７５に回収された絞り水とバリは、実施例１と同様に生成器１に戻すことができる。
【００４３】
したがって、本実施例によれば、ガスハイドレートペレットと絞り水を分離できるだけでなく、ガスハイドレートペレット４８のバリ４９を積極的に除去することができる。
【実施例５】
【００４４】
図８に、本発明に係る分離装置の他の実施例を示す。本実施例が実施例１と相違する点は、多孔板により形成された回転ドラムにより分離装置を構成したことにある。
【００４５】
すなわち、本実施例の分離装置８０は、ガスハイドレートペレットを通過させない大きさの孔を多数有して形成された回転ドラム８１と、ペレタイザ４の排出口４７から排出されるガスハイドレートペレット４８を回転ドラム８１の一端に導く管路８２と、回転ドラム８１を回転自由に支持するとともに包囲して設けられた回転ドラムケース８３とを備えて形成されている。また、回転ドラムケース８３の底面を管路８２側が低くなるように傾斜させて形成し、その傾斜の上端側にガスハイドレートペレットの排出口８４を設け、傾斜の下端側に絞り水回収部８５を設けて形成されている。また、回転ドラム８１は、モータ８６によって回転されるようになっている。
【００４６】
本実施例によれば、一対の回転ロール４２間から落下されるガスハイドレートペレットと絞り水は、回転ドラム８１内に投入され、絞り水は速やかに絞り水回収部８５に回収され、ガスハイドレートペレット４８は回転ドラム８１の回転によって搬送され、排出口８４から脱圧装置６に供給される。
【００４７】
したがって、本実施例によれば、ガスハイドレートペレットと絞り水を分離できるだけでなく、ガスハイドレートペレット４８のバリ４９を積極的に除去することができる。
【実施例６】
【００４８】
図９に、本発明に係る分離装置の他の実施例を示す。本実施例が実施例１と相違する点は、メッシュ状に形成されたベルトを有するベルトコンベアにより分離装置を構成したことにある。
【００４９】
すなわち、図示のように、分離装置９０は、ペレタイザ４のガスハイドレートペレットの排出口４７に位置させて設けられ、ガスハイドレートペレット４８を通過させない大きさの孔を多数有するベルトを有してなるベルトコンベア９１と、ベルトコンベア９１の搬送方向の下流側に設けられたガスハイドレートペレットの排出部９２と、ベルトコンベア９１の下面側に配置された絞り水回収部９３を有して構成されている。
【００５０】
本実施例によれば、ベルトコンベア９１に落下したガスハイドレートペレット４８はベルトコンベア９１によって排出部９２に搬送され、図示していない脱圧装置に排出される。また、ベルトコンベア９１に落下した絞り水９４は、ベルトコンベア９１のベルトのメッシュを透過して絞り水回収部９３に落下回収される。
【実施例７】
【００５１】
図１０に、本発明に係る分離装置の他の実施例を示す。本実施例が実施例６と相違する点は、メッシュ状のベルトに代えて、吸水性を有する材質のベルトを用いたベルトコンベアにより分離装置を構成したことにある。
【００５２】
すなわち、分離装置１００は、ペレタイザ４のガスハイドレートペレットの排出口４７に位置させて設けられた吸水性を有するベルトを巻回してなるベルトコンベア１０１と、ベルトコンベア１０１の搬送方向の下流側に設けられたガスハイドレートペレットの排出部１０２と、ベルトコンベア１０１の下面側のベルトを挟んで配置された絞りローラ１０３と、絞りローラ１０３の下方に配置された絞り水回収部１０４とを有して構成されている。
【００５３】
本実施例によれば、ベルトコンベア１０１に落下したガスハイドレートペレット４８はベルトコンベア１０１によって排出部１０２に搬送され、図示していない脱圧装置に排出される。また、ベルトコンベア１０１に落下した絞り水９４は、吸水性を有するベルトに速やかに吸収されて、ガスハイドレートペレット４８と分離される。ベルトに吸収された絞り水は絞りローラ１０３によって絞り出され、絞り水回収部１０４に落下回収される。
【００５４】
以上、本発明の実施例１〜７を説明したが、本発明のガスハイドレートペレット製造装置は、上記実施例に限られるものではなく、実施例１〜７を適宜組み合わせて構成することができる。
【００５５】
また、上記各実施例のペレタイザと分離装置は、ハイドレート生成条件と同じ高圧に耐えられるように形成され、あるいは高圧容器内に収納されている。
【図面の簡単な説明】
【００５６】
【図１】本発明の一実施例のガスハイドレートペレット製造装置を適用してなるガスハイドレート製造プラントの全体構成図である。
【図２】本発明の特徴に係るガスハイドレートペレット製造装置の実施例１の構成図である。
【図３】実施例１の水分離板の要部の拡大図である。
【図４】ガスハイドレートペレットに形成されるバリを説明する図である。
【図５】本発明の特徴に係るガスハイドレートペレット製造装置のペレタイザの実施例２の構成図である。
【図６】本発明の特徴に係るガスハイドレートペレット製造装置の実施例３の構成図である。
【図７】本発明の特徴に係るガスハイドレートペレット製造装置の実施例４の構成図である。
【図８】本発明の特徴に係るガスハイドレートペレット製造装置の実施例５の構成図である。
【図９】本発明の特徴に係るガスハイドレートペレット製造装置の実施例６の構成図である。
【図１０】本発明の特徴に係るガスハイドレートペレット製造装置の実施例７の構成図である。
【符号の説明】
【００５７】
４  ペレタイザ
５  分離装置
４２  一対の回転ロール
４３  凹所
４５  供給口
４７  排出口
５１  ケーシング
５２  水分離板
５６  シュート
５７  絞り水回収部
【図１】
0005153407.tif 000002
【図２】
0005153407.tif 000003
【図３】
0005153407.tif 000004
【図４】
0005153407.tif 000005
【図５】
0005153407.tif 000006
【図６】
0005153407.tif 000007
【図７】
0005153407.tif 000008
【図８】
0005153407.tif 000009
【図９】
0005153407.tif 000010
【図１０】
0005153407.tif 000011